(57)【要約】      （修正有）【課題】  筐体内に組込まれたシステム用ボードが故障した場合に、システム用ボードを一つづつ取り出して調べなくても全てのシステム用ボードの構成内容を知ることができ、迅速にメンテナンスを行なうことができるシステム用ボードのメンテナンスシステムを提供する。【解決手段】  筐体１の各開口４から露呈する複数の印刷回路基板２ａ〜２ｄ前面の樹脂状の摘み６ａ〜６ｄに印刷回路基板２ａ〜２ｄのＩＤを書き込んだ無線ＩＣタグ８ａ〜８ｄを取付け、利用者側に於いて携帯情報端末１０の無線タグリーダライタ１２から各無線ＩＣタグ８ａ〜８ｄに対し送、受信を行い、その後、携帯用コンピュータ１４からボードベンダーのコンピュータ１８に送信されたＩＤ情報を基にデータベース２０から対応する新規ＩＤデ−タを利用者側の携帯用コンピュータ１４に返信し、返信された新規ＩＤデ−タに基いて当該印刷回路基板２ａ〜２ｄのメンテナンスを行なうようにした。【選択図】    図１
2005182713.tif 000002
【特許請求の範囲】
【請求項１】
利用者側に設置されたコンピュータ装置の電磁波シールドされた筐体１内部に出し入れ可能に内装されたシステム用ボード２のメンテナンスシステムであって、
上記筐体１の各開口４から露呈する複数のシステム用ボード２ａ〜２ｄの前面に設けた合成樹脂製の摘み６ａ〜６ｄに該システム用ボード２ａ〜２ｄのＩＤを書き込んだ無線ＩＣタグ８ａ〜８ｄを取付け、利用者側に於いて携帯用情報端末１０に備えられた無線タグリーダライタ１２から上記各無線ＩＣタグ８ａ〜８ｄに対し送、受信を行い、それぞれのシステム用ボード２ａ〜２ｄのＩＤを無線タグリーダライタ１２により読み込んだ後、携帯用コンピュータ１４に備えた通信装置１６によりインターネットを介してボードベンダーのコンピュータ１８に送信された上記ＩＤ情報を上記ボードベンダー側のデータベース２０に蓄積されたデータから新規ＩＤデ−タを利用者側の携帯用コンピュータ１４に返信し、該返信された新規ＩＤデ−タに基いて当該システム用ボード２ａ〜２ｄのメンテナンスを行なうようにしたことを特徴とするコンピュータ装置におけるシステム用ボードのメンテナンスシステム。
【請求項２】
利用者側に設置されたコンピュータ装置の電磁波シールドされた筐体１内部に出し入れ可能に内装されたシステム用ボード２のメンテナンスシステムであって、
上記筐体１の各開口４から露呈する複数のシステム用ボード２ａ〜２ｄ前面の金属製パネル５に該システム用ボード２ａ〜２ｄのＩＤを書き込んだ無線ＩＣタグ３２を取着し、利用者側に於いて携帯用情報端末１０に備えられた無線タグリーダライタ１２から上記各無線ＩＣタグ３２に対し送、受信を行い、それぞれのシステム用ボード２ａ〜２ｄのＩＤを無線タグリーダライタ１２により読み込んだ後、携帯用コンピュータ１４に備えた通信装置１６によりインターネットを介してボードベンダーのコンピュータ１８に送信された上記ＩＤ情報を上記ボードベンダー側のデータベース２０に蓄積されたデータから新規ＩＤデータを利用者側の携帯用コンピュータ１４に返信し、該返信された新規ＩＤデ−タに基いて当該システム用ボード２ａ〜２ｄのメンテナンスを行なうようにしたことを特徴とするコンピュータ装置におけるシステム用ボードのメンテナンスシステム。
【発明の詳細な説明】
【技術分野】
【０００１】
本発明は、コンピュータ利用者側に設置されたコンピュータ装置の電磁波シールドされた筐体内部に出し入れ可能に内装されたシステム用ボードのメンテナンスシステムに関する。
【背景技術】
【０００２】
従来より、利用者側に設置されたコンピュータのＣＰＵに接続されるデバイスとして、電磁波シールドされた筐体内部にシステム用ボードとなる複数の各種印刷回路基板（ＰＣＢ）が出し入れ可能に内装されている。
【０００３】
コンピュータにトラブルが生じた場合は、コンピュータ利用者側のメンテナンス担当者が筐体から一つづつシステム用ボードを取り出してチェックして、故障したシステム用ボードを探し出さなければならず、メンテナンスに手間が掛かかる問題を有していた。
【０００４】
このような、コンピュータ装置のメンテナンスを改良した方法として、次のようなメンテナンスシステムが知られている。すなわち、主コンピュータの他に保守側コンピュータを設けて、保守側コンピュータにメンテナンスに必要なデータを管理し、データベースにはトラブルの状況及びそのトラブルを解決するためのプログラムが格納されている。
【０００５】
トラブルの状況を示すデータは、インターネットのホームページを利用して保守側コンピュータ上で公開されるようになっており、主コンピュータのトラブルの状況に関する情報を記述したテキストファイルは、利用者がホームページを操作することで作成され、ホームページ上のトラブルの状況を示したリストから該当（主コンピュータで生じたトラブルと一致または酷似した状況）する項目を選択する。
【０００６】
次に、メンテナンス行程では、メンテナンスプログラムを操作し画面操作情報として文字や特殊キーによりどのような動作（処理）を行えば良いかが指示され、保守側コンピュータから主コンピュータへメンテナンスに必要な情報が送られ、メンテナンス行程によって主コンピュータのメンテナンスを自動的に行なうことができるようになっている（特許文献１参照）。
【０００７】
【特許文献１】特開２００１−１４２７２７号公報（段落００１４，００１７〜００１９，００２５，００２６，図１，図２）
【発明の開示】
【発明が解決しようとする課題】
【０００８】
しかしながら、上記のような従来のコンピュータ装置におけるメンテナンスシステムは主コンピュータにトラブルが生じた場合に、そのトラブルに関する情報を出力するコンピュータから状況報告を受取り、データべースのデータと比較してトラブルを解決するプログラムを出力し、受け取ったプログラムを操作してメンテナンスを自動で行なうようにしたものであるが、コンピュータ装置におけるシステム用ボード等が故障した場合に、この故障したシステム用ボードが筐体内のどこにあるのかを探し出すことが困難なだけでなく、システム用ボードのメーカーや連絡先、機能、製造ロット番号などを調査するのが困難となり、メンテナンスに時間が掛かる問題を有していた。
【０００９】
本発明は、このような問題点に着目してなされたもので、筐体内に組込まれたシステム用ボードが故障した場合に、システム用ボードを一つづつ取り出して調べなくても全てのシステム用ボードの構成内容を知ることができ、迅速にメンテナンスを行なうことができるコンピュータ装置におけるシステム用ボードのメンテナンスシステムを提供することを目的とする。
【課題を解決するための手段】
【００１０】
上記の目的を解決するために、本発明の請求項１に記載のコンピュータ装置におけるシステム用ボードのメンテナンスシステムは、利用者側に設置されたコンピュータ装置の電磁波シールドされた筐体１内部に出し入れ可能に内装されたシステム用ボード２のメンテナンスシステムであって、上記筐体１の各開口４から露呈する複数のシステム用ボード２ａ〜２ｄの前面に設けた合成樹脂製の摘み６ａ〜６ｄに該システム用ボード２ａ〜２ｄのＩＤを書き込んだ無線ＩＣタグ８ａ〜８ｄを取付け、利用者側に於いて携帯用情報端末１０に備えられた無線タグリーダライタ１２から上記各無線ＩＣタグ８ａ〜８ｄに対し送、受信を行い、それぞれのシステム用ボード２ａ〜２ｄのＩＤを無線タグリーダライタ１２により読み込んだ後、携帯用コンピュータ１４に備えた通信装置１６によりインターネットを介してボードベンダーのコンピュータ１８に送信された上記ＩＤ情報を上記ボードベンダー側のデータベース２０に蓄積されたデータから新規ＩＤデ−タを利用者側の携帯用コンピュータ１４に返信し、該返信された新規ＩＤデ−タに基いて当該システム用ボード２ａ〜２ｄのメンテナンスを行なうようにしたことを特徴とするコンピュータ装置におけるシステム用ボードのメンテナンスシステムである。
上記のコンピュータ装置におけるシステム用ボード２ａ〜２ｄのメンテナンスシステムによれば、筐体１の各開口４から露呈する複数のシステム用ボード２ａ〜２ｄ前面の合成樹脂製の摘み６ａ〜６ｄに該システム用ボード２ａ〜２ｄのＩＤを書き込んだ無線ＩＣタグ８ａ〜８ｄを取付け、利用者側に於いて携帯用情報端末１０に備えられた無線タグリーダライタ１２から上記各無線ＩＣタグ８ａ〜８ｄに対し送、受信を行い、無線タグリーダライタ１２により読み込んだそれぞれのシステム用ボード２ａ〜２ｄのＩＤを携帯用コンピュータ１４に備えた通信装置１６によりインターネットを介してボードベンダーのコンピュータ１８に送信し、ボードベンダー側では受信されたＩＤ情報を基にデータベース２０に蓄積されたデータから新規ＩＤデ−タを利用者側の携帯用コンピュータ１４に返信し、該返信された新規ＩＤデ−タに基いて当該システム用ボード２ａ〜２ｄのメンテナンスを行ない、メンテナンス記録はボードベンダーのデータベース２０に保存される。
上記に於いて通信装置１６は、携帯用コンピュータ１４と別体の通信装置の場合もあるし、携帯用コンピュータに付帯する通信カード，通信アダプタである場合もあり、以下通信装置１６と言う部分には広く通信できる手段を意味する。
【００１１】
本発明の請求項２に記載のコンピュータ装置におけるシステム用ボードのメンテナンスシステムは、利用者側に設置されたコンピュータ装置の電磁波シールドされた筐体１内部に出し入れ可能に内装されたシステム用ボード２のメンテナンスシステムであって、上記筐体１の各開口４から露呈する複数のシステム用ボード２ａ〜２ｄ前面の金属製パネル５に該システム用ボード２ａ〜２ｄのＩＤを書き込んだ無線ＩＣタグ３２を取着し、利用者側に於いて携帯用情報端末１０に備えられた無線タグリーダライタ１２から上記各無線ＩＣタグ３２に対し送、受信を行い、それぞれのシステム用ボード２ａ〜２ｄのＩＤを無線タグリーダライタ１２により読み込んだ後、携帯用コンピュータ１４に備えた通信装置１６によりインターネットを介してボードベンダーのコンピュータ１８に送信された上記ＩＤ情報を上記ボードベンダー側のデータベース２０に蓄積されたデータから新規ＩＤデータを利用者側の携帯用コンピュータ１４に返信し、該返信された新規ＩＤデ−タに基いて当該システム用ボード２ａ〜２ｄのメンテナンスを行なうようにしたことを特徴とするコンピュータ装置におけるシステム用ボードのメンテナンスシステムである。
上記のコンピュータ装置におけるシステム用ボードのメンテナンスシステムによれば、筐体１の各開口４から露呈するシステム用ボード２ａ〜２ｄ前面の金属製パネル５に無線ＩＣタグ３２を取付け、利用者側に於いて携帯用情報端末１０に備えられた無線タグリーダライタ１２から上記各無線ＩＣタグ３２に対し送、受信を行い、無線タグリーダライタ１２により読み込んだそれぞれのシステム用ボード２ａ〜２ｄのＩＤを携帯用コンピュータ１４に備えた通信装置１６によりインターネットを介してボードベンダーのコンピュータ１８に送信し、ボードベンダー側では受信されたＩＤ情報を基にデータベース２０に蓄積されたデータから新規ＩＤデ−タを利用者側の携帯用コンピュータ１４に返信し、該返信された新規ＩＤデ−タに基いて当該システム用ボード２ａ〜２ｄのメンテナンスを行ない、メンテナンス記録はボードベンダーのデータベース２０に保存される。
【発明の効果】
【００１２】
本発明は以下の効果を奏する。
【００１３】
請求項１に記載の発明によれば、筐体の各開口から露呈する複数のシステム用ボード前面の合成樹脂製の摘みに該システム用ボードのＩＤを書き込んだ無線ＩＣタグを取付けて無線タグリーダライタから上記各無線ＩＣタグに対し送、受信を行うことでシステム用ボードを一つづつ取り出して調べなくても全てのシステム用ボードの構成内容を知ることができ、迅速にメンテナンスを行なうことができる。
【００１４】
請求項２に記載の発明によれば、筐体の各開口から露呈するシステム用ボード前面の金属製パネルにそのまま無線ＩＣタグを接着剤などで取着することができるので、摘みのような合成樹脂材に溝を加工して埋め込んだり、モールド成形により樹脂と一体成形する手間が掛からない。
【発明を実施するための最良の形態】
【００１５】
本発明の実施例を以下に説明する。
【実施例１】
【００１６】
本発明の実施例を図面に基づいて説明すると、図1は本発明の実施例１におけるコンピュータ装置におけるシステム用ボードのメンテナンスシステムの構成図、図２（ａ）は無線ＩＣタグをシステム用ボードの摘みに貼り付けた態様を示す部分斜視図、（ｂ）は無線ＩＣタグをシステム用ボードの摘みに形成された浅溝に埋め込んだ状態を示す部分断面図、（ｃ）は無線ＩＣタグをシステム用ボードの摘みにモールドされた状態を示す部分断面図である。
【００１７】
先ず、図1には本発明の実施例としてのコンピュータ利用者側に設置されたコンピュータ装置の筐体１が示されており、この筐体１は電磁波がシールドされた構造で、前面側には複数のシステム用ボードとしての印刷回路基板２（ＰＣＢ）を出し入れ可能に収容する開口４が形成されている。
【００１８】
図１に示す開口４内には、４種類の印刷回路基板２ａ，２ｂ，２ｃ，２ｄが縦に収容されており、各印刷回路基板２ａ〜２ｄの前面には縦長矩形状の金属板で構成された正面板５が開口４から露呈しており、これらの正面板５の下方には合成樹脂製の摘み６ａ，６ｂ，６ｃ，６ｄが突設している。
【００１９】
そして、これら摘み６ａ，６ｂ，６ｃ，６ｄには、各印刷回路基板２ａ〜２ｄのＩＤ（識別情報）を書き込んだ無線ＩＣタグ８ａ，８ｂ，８ｃ，８ｄが取着されている。この無線ＩＣタグ８ａ〜８ｄは、ＲＦＩＤ（Ｒａｄｉｏ  Ｆｒｅｑｕｅｎｃｙ  Ｉｄｅｎｔｉｆｉｃａｔｉｏｎ）として知られており、ＩＣチップとコア入りコイルを備え、このコイルをアンテナとする電磁誘導方式を使用したものでデータの読み書きが可能なカード形、コイン形、ラベル形などの種類が有る。
【００２０】
更に詳しくは、ＲＦＩＤは、例えばキャリア周波数が１３．５６ＭＨｚ、動作距離が１．２〜２．４ｍｍ、メモリ容量は１２８バイト、システム領域として、シリアルＮｏ．：３２ビット×２、キー：３２ビット、モードバイト：１バイト、アクセスバイト：１バイト、レビジョンコード：１バイト、フォーマットコード：１バイト、データレート：２６．４８ｋｂｐｓ、通信プロトコル：オリジナル、ＩＣプロセス：ＣＭＯＳ、エラーチェック：１６ビットＣＲＣ、適合パーソナルリーダ・ライタ  ：ＭＥ−Ｐ１０００−Ｕ（ｐｉｃｏｃｈｅｔ）、適合リーダ・ライタ・モジュール：ＭＥ−Ｍ１０００、モジュレーションリーダ・ライタ：符号方式：パルスポジション方式、変調方式：ＡＳＫ方式、モジュレーションＲＦＩＤチップ→リーダ・ライタ  ：符号方式：マンチェスタ方式、変調方式：負荷変調方式、副搬送波：４２３．７５ｋＨｚの仕様となっている。
【００２１】
この無線ＩＣタグ８ａ〜８ｄには、各印刷回路基板２ａ〜２ｄのＩＤとして、例えばメーカー名、型番、ロット番号、製造年月日、メンテナンスの連絡先、メーカからの情報（注意事項）、メンテナンス記録等のデータを書き込むことができるようになっている。
【００２２】
次に、符号１０は個人向け携帯情報端末（ＰＤＡ）であって、ボードベンダー（システム構築会社）側のメンテナンス担当者が無線ＩＣタグ８ａ〜８ｄと送・受信を行なう無線タグリーダライタ１２を備えている。また、符号１４は携帯用コンピュータであって、この携帯用コンピュータ１４（例えばノート型パソコン）は、無線タグリーダライタ１２で読み取った無線ＩＣタグ８ａ〜８ｄのデータを通信装置１６によりインターネットを介してボードベンダー側のコンピュータ１８に送信できるようになっている。
上記に於いて通信装置１６とは、携帯用コンピュータ１４と別体の通信装置である他に、携帯用コンピュータ１４に付帯している通信カード，通信アダプタ等通信手段を意味する。
【００２３】
ボードベンダー側では、携帯用コンピュータ１４からインターネットを介して送信されてきた無線ＩＣタグ８ａ〜８ｄにおける各印刷回路基板２ａ〜２ｄのＩＤをデータベースに記録されている該当するＩＤと比較する。
【００２４】
ここで、故障した印刷回路基板２が判明したらボードベンダー側からそれに対応するＩＤとして、ボード型名、ロットＮｏ、製造年月日、修理履歴等のデータをコンピュータ利用者側の携帯用コンピュータ１４に返信し、該返信された新規ＩＤデ−タに基いて上記メンテナンス担当者が当該システム用ボードのメンテナンスを行ない、このメンテナンスの履歴はベンダー側のデータベース２０に保存される。
【００２５】
このように、筐体１の開口４から露呈する複数の印刷回路基板２ａ〜２ｄ前面の正面板５に設けた合成樹脂製の摘み６ａ〜６ｄに印刷回路基板２ａ〜２ｄのＩＤを書き込んだ無線ＩＣタグ８ａ，８ｂ，８ｃ，８ｄから無線タグリーダライタ１２により読み取ることで、印刷回路基板２ａ〜２ｄを一つづつ取り出して調べなくても全ての印刷回路基板２ａ〜２ｄのＩＤとして、メーカーの連絡先、機能、製造ロット番号、メンテナンス履歴等の情報がインターネットを介してコンピュータ利用者側の現場にて直ぐに知ることができ、メンテナンス担当者はマニュアルが現場に無くても何時、何処ででも対応することができる。
【００２６】
次に、無線ＩＣタグの取付け態様の変形例に付き図２を参照して説明する。図２（ａ）は印刷回路基板の摘みに無線ＩＣタグを貼り付けた状態を示す部分斜視図、（ｂ）は無線ＩＣタグを埋め込んだ状態を示す摘みの断面図、（ｃ）は無線ＩＣタグを合成樹脂でモールド成形した摘みの断面図である。
【００２７】
図２（ａ）に示される無線ＩＣタグ２２は、筐体１の開口４から露呈した印刷回路基板２ａ〜２ｄ正面板５の合成樹脂製の摘み６ａ，６ｂ，６ｃ，６ｄに貼り付けられている。
また、図２（ｂ）に示される無線ＩＣタグ２４は、合成樹脂製の摘み６ａ，６ｂ，６ｃ，６ｄに形成された浅溝に埋め込まれており、図２（ｃ）に示される無線ＩＣタグ２６は、
合成樹脂製の摘みにモールド成形されている。
【実施例２】
【００２８】
次に、実施例２に付き図３を参照して説明する。図３は実施例２におけるシステム用ボード前面の金属製パネルに無線ＩＣタグを取着した状態を示す部分斜視図である。
【００２９】
図３に示すように、筐体１の開口４から露呈する各印刷回路基板２ａ〜２ｄ前面の縦長矩形状の金属製正面板５の下方には、摘み６が設けられると共にその上方には電気コネクタなどの差込口３０が上下3箇所に配置され、その上部に無線ＩＣタグ３２が取付けられる。この無線ＩＣタグ３２は、金属表面から発生する磁界の影響を無効化することができる。尚、正面板５下方の裏面には差込みピン３４が突設している。
【００３０】
例えば、この金属対応の無線ＩＣタグ３２は、例えば動作周波数：１３．５６ＭＨｚ、電池：不用、メモリ容量：１０１２ｂｉｔ，ＥＥＰＲＯＭユーザーエリア１１２バイト、ＥＥＰＲＯＭデータ保持年数：１０年間、ＥＥＰＲＯＭ書換え回数：１０万回動作温度（ＩＣチップ）：−２５度〜＋８５度、保存温度：−２５度〜＋９０度（結露は不可）、未使用時保管条件：＋１５度〜＋３０度，４０〜６０％ＲＨ，耐衝撃性：鉄板上に１．５ｍの高さから１０回落下でも機能に問題なし、通信距離：約２０ｍｍ，主な構成材質：アクリル樹脂、ポリエステル樹脂、銅箔、シリコン半導体、エポキシ樹脂、形状：４２×３０ｍｍ楕円形状，厚さ５．７ｍｍ、重量：約６．５グラムの仕様となっている。
【００３１】
従って、この金属対応の無線ＩＣタグ３２を、筐体１の各開口４から露呈する各印刷回路基板２ａ〜２ｄ前面の金属製の正面板５に貼り付けるだけで取付けることができるので、摘みのような樹脂材に溝を加工して埋め込んだり、モールド成形により樹脂と一体成形する手間が掛からず用途の多様化が図れる。
【００３２】
以上、本発明の実施例を図面により説明してきたが、具体的な構成はこれら実施例に限られるものではなく、本発明の要旨を逸脱しない範囲における変更や追加があっても本発明に含まれる。
【図面の簡単な説明】
【００３３】
【図１】本発明の実施例１におけるコンピュータ装置におけるシステム用ボードのメンテナンスシステムの構成図である。
【図２】（ａ）は無線ＩＣタグをシステム用ボードの摘みに貼り付けた態様を示す部分斜視図、（ｂ）は無線ＩＣタグをシステム用ボードの摘みに形成された浅溝に埋め込んだ状態を示す部分断面図、（ｃ）は無線ＩＣタグをシステム用ボードの摘みにモールドされた状態を示す部分断面図である。
【図３】図３は実施例２におけるシステム用ボード前面の金属製パネルに無線ＩＣタグを取着した状態を示す部分斜視図である。
【符号の説明】
【００３４】
１                    筐体
２                    印刷回路基板（システム用ボード）
２ａ〜２ｄ            印刷回路基板（システム用ボード）
４                    開口
５                    正面板（金属製パネル）
６                    摘み
６ａ〜６ｄ            摘み
８ａ〜８ｄ            無線ＩＣタグ
１０                  携帯情報端末
１２                  無線タグリーダライタ
１４                  携帯用コンピュータ
１６                  通信装置
１８                  コンピュータ
２０                  データベース
２２，２４，２６      無線ＩＣタグ
３０                  差込口
３２                  無線ＩＣタグ
３４                  差込みピン
【図１】
2005182713.tif 000003
【図２】
2005182713.tif 000004
【図３】
2005182713.tif 000005